(57)【要約】      （修正有）【課題】時刻情報が修正された場合であっても他の計時装置が時刻情報を受信できる計時装置、計時システム、及び計時方法を提供する。【解決手段】計時装置は、計時データを修正するための基準時刻情報を含む受信信号を受信する受信部と、受信部が受信した受信信号に含まれる基準時刻情報に基づいて、計時データを修正する修正部２０１と、修正部２０１が修正した計時データに基づき計時を行う計時部２０２と、修正部２０１により計時データが所定の時間幅以上修正された場合、修正部２０１が修正する前の計時データに基づく修正前送信タイミングにおいて基準時刻情報を含む送信信号を、所定の受信時期である修正前送信タイミングにおいて当該送信信号を受信する他の計時装置に送信する送信部２０３と、を備える。【選択図】図６
2019158734.tif 000002
【特許請求の範囲】
【請求項１】
計時データを修正するための基準時刻情報を含む受信信号を受信する受信部と、
前記受信部が受信した前記受信信号に含まれる前記基準時刻情報に基づいて、前記計時データを修正する修正部と、
前記修正部が修正した前記計時データに基づき計時を行う計時部と、
前記修正部により前記計時データが所定の時間幅以上修正された場合、前記修正部が修正する前の前記計時データに基づく修正前送信タイミングにおいて前記基準時刻情報を含む送信信号を、所定の受信時期である修正前送信タイミングにおいて当該送信信号を受信する他の計時装置に送信する送信部と、
を備える計時装置。
【請求項２】
前記送信部は、前記修正前送信タイミングに加えて、前記修正部が修正した前記計時データに基づく修正後送信タイミングにおいて前記基準時刻情報をさらに送信する
請求項１に記載の計時装置。
【請求項３】
前記送信部は、前記修正部により前記計時データが所定の時間幅以上修正された場合、前記送信信号の受信時期を前記修正部が修正した前記計時データに基づく修正後送信タイミングに変更することを指示する指示情報を、前記修正前送信タイミングにおいて送信する
請求項１または請求項２に記載の計時装置。
【請求項４】
前記所定の時間幅は、前記所定の受信時期の時間幅に応じて決められる
請求項１から請求項３のいずれか一項に記載の計時装置。
【請求項５】
前記送信部は、所定の時間が経過した場合、前記基準時刻情報を前記修正前送信タイミングにおいて送信することを中止する
請求項１から請求項４のいずれか一項に記載の計時装置。
【請求項６】
請求項１から請求項５のいずれか一項に記載の計時装置を複数備える
計時システム。
【請求項７】
計時データを修正するための基準時刻情報を含む受信信号を受信する受信手順と、
前記受信手順において受信された前記受信信号に含まれる前記基準時刻情報に基づいて、前記計時データを修正する修正手順と、
前記修正手順において修正された前記計時データに基づき計時を行う計時手順と、
前記修正手順において前記計時データが所定の時間幅以上修正された場合、前記修正手順において修正される前の前記計時データに基づく修正前送信タイミングにおいて前記基準時刻情報を含む送信信号を、所定の受信時期である修正前送信タイミングにおいて当該送信信号を受信する他の計時装置に送信する送信手順と、
を有する計時方法。
【発明の詳細な説明】
【技術分野】
【０００１】
本発明は、計時装置、計時システム、及び計時方法に関する。
【背景技術】
【０００２】
複数の計時装置を階層化して、上位階層の計時装置から一段下位階層の計時装置へ順次リレー式に時刻情報を送信して、各階層の計時装置の時刻修正を行なうことが可能な計時システムが知られている。このような計時システムでは、一方向通信により、時刻情報を上位階層の計時装置である親機から下位階層の計時装置である子機に伝えるものである。この一方向通信には、例えば、近距離無線通信が用いられる。子機は、送信データに時刻情報とともに含まれる送信タイミング情報を参照して、親機から以降において送信データを受信するための自動受信タイミングを決定する。
このような計時システムでは、計時装置同士をペアリングする双方向通信に比べて容易にネットワークの構築が可能である。例えば、計時装置同士の間に適切なリンク関係を自動的に構築可能な計時装置が知られている（特許文献１）。
【先行技術文献】
【特許文献】
【０００３】
【特許文献１】特開２００５−２５７４８４号公報
【発明の概要】
【発明が解決しようとする課題】
【０００４】
上記のような計時システムにおいて、子機は消費電力を抑えるために、通常親機が送信するタイミングの、例えば２秒前に受信動作を開始する。また、親機は何らかの理由で暫く時刻修正ができず、その後受信成功した際に２秒以上の時刻修正を行う場合がある。通常、時計の歩度は最大日差にして１秒程度である。例えばスマートフォンから時刻情報を取得する親機においては、ユーザが出張や旅行に出かけると、その間時刻修正されない状態となる。ユーザが帰宅後にスマートフォンと再接続して２秒以上の時刻修正が行われると、親機が時刻情報を送信するタイミングと、当該親機に接続していた子機が時刻情報を受信するタイミングとは２秒以上ずれてしまう。そのため、当該親機に接続していた子機は、時刻情報を受信できなくなるという課題があった。
特許文献１に記載される計時装置では、時刻情報の受信に最後に成功してからの経過時間に応じて受信開始時間を早めている。しかしながら、子機は所定の時間が経過するまで再接続できないため対策としては不十分である。
【０００５】
本発明は上記の点に鑑みてなされたものであり、時刻情報が修正された場合であっても他の計時装置が時刻情報を受信できる計時装置、計時システム、及び計時方法を提供する。
【課題を解決するための手段】
【０００６】
本発明は上記の課題を解決するためになされたものであり、本発明の一態様は、計時データを修正するための基準時刻情報を含む受信信号を受信する受信部と、前記受信部が受信した前記受信信号に含まれる前記基準時刻情報に基づいて、前記計時データを修正する修正部と、前記修正部が修正した前記計時データに基づき計時を行う計時部と、前記修正部により前記計時データが所定の時間幅以上修正された場合、前記修正部が修正する前の前記計時データに基づく修正前送信タイミングにおいて前記基準時刻情報を含む送信信号を、所定の受信時期である修正前送信タイミングにおいて当該送信信号を受信する他の計時装置に送信する送信部と、を備える計時装置である。
【０００７】
また、本発明の一態様は、上記の計時装置において、前記送信部は、前記修正前送信タイミングに加えて、前記修正部が修正した前記計時データに基づく修正後送信タイミングにおいて前記基準時刻情報をさらに送信する。
【０００８】
また、本発明の一態様は、上記の計時装置において、前記送信部は、前記修正部により前記計時データが所定の時間幅以上修正された場合、前記送信信号の受信時期を前記修正部が修正した前記計時データに基づく修正後送信タイミングに変更することを指示する指示情報を、前記修正前送信タイミングにおいて送信する。
【０００９】
また、本発明の一態様は、上記の計時装置において、前記所定の時間幅は、前記所定の受信時期の時間幅に応じて決められる。
【００１０】
また、本発明の一態様は、上記の計時装置において、前記送信部は、所定の時間が経過した場合、前記基準時刻情報を前記修正前送信タイミングにおいて送信することを中止する。
【００１１】
また、本発明の一態様は、上記の計時装置を複数備える計時システムである。
【００１２】
また、本発明の一態様は、計時データを修正するための基準時刻情報を含む受信信号を受信する受信手順と、前記受信手順において受信された前記受信信号に含まれる前記基準時刻情報に基づいて、前記計時データを修正する修正手順と、前記修正手順において修正された前記計時データに基づき計時を行う計時手順と、前記修正手順において前記計時データが所定の時間幅以上修正された場合、前記修正手順において修正される前の前記計時データに基づく修正前送信タイミングにおいて前記基準時刻情報を含む送信信号を、所定の受信時期である修正前送信タイミングにおいて当該送信信号を受信する他の計時装置に送信する送信手順と、を有する計時方法である。
【発明の効果】
【００１３】
本発明によれば、時刻情報が修正された場合であっても他の計時装置が時刻情報を受信できる。
【図面の簡単な説明】
【００１４】
【図１】本発明の第１の実施形態に係る計時システムの構成の一例を示す図である。
【図２】本発明の第１の実施形態に係る時刻修正を伴うタイミングチャートの一例を示す図である。
【図３】本発明の第１の実施形態に係る基準時刻情報及び通信チャネルの一例を示す図である。
【図４】本発明の第１の実施形態に係る計時装置の構成の一例を示す図である。
【図５】本発明の第１の実施形態に係る表示装置の表示パネルＰの表示の一例を示す図である。
【図６】本発明の第１の実施形態に係る制御部の構成の一例を示す図である。
【図７】本発明の第１の実施形態に係る時刻情報受信のための前処理の一例を示す図である。
【図８】本発明の第１の実施形態に係る親機モードにおける長波受信処理の一例を示す図である。
【図９】本発明の第１の実施形態に係る親機モードにおける近距離通信処理の一例を示す図である。
【図１０】本発明の第１の実施形態に係る子機モードにおける近距離受信処理の一例を示す図である。
【図１１】本発明の第１の実施形態に係る通常時の計時処理の一例を示す図である。
【図１２】本発明の第１の実施形態に係る子機の通常時の時刻修正のための処理の一例を示す図である。
【図１３】本発明の第２の実施形態に係る子機の通常時の時刻修正のための処理の一例を示す図である。
【図１４】本発明の第３の実施形態に係る制御部の構成の一例を示す図である。
【図１５】本発明の第３の実施形態に係る時刻修正を伴うタイミングチャートの一例を示す図である。
【図１６】本発明の第３の実施形態に係る子機の通常時の時刻修正のための処理の一例を示す図である。
【図１７】従来の時刻修正を伴うタイミングチャートの一例を示す図である。
【発明を実施するための形態】
【００１５】
（第１の実施形態）
以下、図面を参照しながら本発明の実施形態について詳しく説明する。図１は、本実施形態に係る計時システムＳの構成の一例を示す図である。計時システムＳでは、複数の計時装置Ｃ１〜Ｃ６を備え、それら計時装置Ｃ１〜Ｃ６がツリー型のネットワークを構成している。
以下では、計時装置Ｃ１〜Ｃ６のうちの１つを計時装置Ｃと呼ぶことがある。
【００１６】
このネットワークにはレイヤにより示される階層があり、上位レイヤの計時装置Ｃから下位レイヤの計時装置Ｃへと時刻情報が順次送信される。各レイヤの計時装置Ｃは、上位レイヤの計時装置Ｃから時刻情報を受信すると、自装置の時刻を修正する。これにより、計時システムＳを構成する計時装置Ｃ１〜Ｃ６は正確な時刻を維持する。
【００１７】
計時システムＳに備えられる計時装置Ｃ１〜Ｃ６とは、例えば、オフィスビルや工場などに設置される電波時計である。電波時計では、設置場所によっては、標準電波を受信できない場合がある。
そのため計時システムＳでは、計時装置Ｃ１〜Ｃ６は、標準電波を受信する親機と、親機から基準時刻信号を受信する子機とに分けられる。ここで基準時刻信号とは、基準時刻情報Ｂを含む受信信号である。基準時刻情報Ｂとは、計時データを修正するための時刻情報である。親機となる計時装置Ｃ１は、標準電波の受信しやすい窓際などに設置される。一方、子機となる計時装置Ｃ２及び計時装置Ｃ３は、建物の奥側に設定され、親機である計時装置Ｃ１から受信信号を受信する。
計時システムＳでは、時刻情報の情報源とは、一例として、スマートフォンＳＭである。
【００１８】
計時システムＳでは、計時装置Ｃは、上位レイヤの計時装置Ｃから基準時刻信号を受信すると、以降も所定の受信タイミングにおいて、この上位レイヤの計時装置Ｃから受信信号を受信する。計時装置Ｃに基準時刻情報Ｂを含む送信信号を送信する上位レイヤの送信装置を、基準送信装置と呼ぶ。
ここで計時システムＳでは、計時装置Ｃ１は、何らかの理由で暫く時刻修正ができず、その後、基準時刻信号を受信した際に２秒以上の時刻修正を行う場合がある。計時装置Ｃの歩度は最大日差にして１秒程度である。計時システムＳの時刻修正について、図２を参照し説明する。
【００１９】
図２は、本実施形態に係る時刻修正を伴うタイミングチャートの一例を示す図である。図２に示す例では、計時装置Ｃ１、計時装置Ｃ２、及び計時装置Ｃ４の計時データが示す時刻は、スマートフォンＳＭが保持する時刻情報が示す時刻に対して、それぞれ５秒だけ遅れている。以下に説明する送信タイミングや受信タイミングは、各計時装置Ｃが保持する計時データが示す時刻に基づく時刻である。
【００２０】
スマートフォンＳＭは、タイムサーバーと接続して時刻情報を取得後、時刻情報送信タイミングＴＳ１に、時刻情報を送信する。ここで、時刻情報送信タイミングＴＳ１は、スマートフォンＳＭの計時データが示す時刻にして２時５５分０５秒である。
【００２１】
計時装置Ｃ１は、受信タイミングＲＳ１にスマートフォンＳＭから時刻情報を受信する。ここで受信タイミングＲＳ１は、計時装置Ｃ１の計時データが示す時刻にして２時５５分００秒である。
計時装置Ｃ１は、時刻情報を受信すると、自装置の計時データが示す時刻を５秒だけ進める修正を行う。したがって、計時装置Ｃ１は、時刻情報を受信すると、計時データが示す時刻を、２時５５分００秒から２時５５分０５秒に修正する。つまり、計時装置Ｃ１は、時刻データを２秒以上修正する。
【００２２】
計時装置Ｃ１は、修正後送信タイミングＴＡ１に、基準時刻情報Ｂを含む送信信号を送信する。ここで修正後送信タイミングＴＡ１は、計時装置Ｃ１の修正後の計時データが示す時刻にして３時００分０５秒である。
計時装置Ｃ１は、時刻データを２秒以上修正した場合、修正後送信タイミングＴＡ１に加えて、修正前送信タイミングＴＢ１においても基準時刻情報Ｂを含む送信信号を送信する。ここで修正前送信タイミングＴＢ１は、計時装置Ｃ１の修正後の計時データが示す時刻にして３時００分１０秒である。
【００２３】
一方、計時装置Ｃ１を基準送信装置とする計時装置Ｃ２は、修正前受信タイミングＲＢ２に、計時装置Ｃ１から基準時刻信号を受信する。ここで修正前受信タイミングＲＢ２は、計時装置Ｃ２の修正前の計時データが示す時刻にして３時００分０５秒である。計時装置Ｃ２は、消費電力を抑えるために、基準送信装置が送信信号を送信する送信タイミングの２秒前からスキャンを開始し、最大４秒間受信を継続する。計時装置Ｃ２が基準送信装置からの受信を継続する期間をスキャンウィンドウＷ２という。図２に示す例では、スキャンウィンドウＷ２の長さは、４秒間以下である。
【００２４】
計時装置Ｃ２は、計時装置Ｃ１から基準時刻信号を受信すると、計時データが示す時刻を３時００分０５秒から３時００分１０秒に修正する。つまり、計時装置Ｃ２は、時刻データを２秒以上修正する。
【００２５】
計時装置Ｃ２は、時刻データを２秒以上修正した場合、修正後送信タイミングＴＡ２に加えて、修正前送信タイミングＴＢ２においても基準時刻情報Ｂを含む送信信号を送信する。ここで修正後送信タイミングＴＡ２は、計時装置Ｃ２の修正後の計時データが示す時刻にして３時１０分３５秒であり、修正前送信タイミングＴＢ２は、計時装置Ｃ２の修正後の計時データが示す時刻にして３時１０分４０秒である。
以降同様に、計時装置Ｃは、時刻データを２秒以上修正した場合、修正後送信タイミングに加えて、修正前送信タイミングにおいても基準時刻情報Ｂを含む送信信号を送信する。
【００２６】
ここで比較のために、図１７を参照し、従来技術による計時システムＳ０の時刻修正について説明する。
図１７は、従来の時刻修正を伴うタイミングチャートの一例を示す図である。図１７に示す例では、図２に示す例と同様に、計時装置Ｃ１０、計時装置Ｃ２０、及び計時装置Ｃ４０の計時データが示す時刻は、スマートフォンＳＭ０が保持する時刻情報が示す時刻に対して、それぞれ５秒だけ遅れている。
【００２７】
計時装置Ｃ１０は、時刻情報を受信すると、自装置の計時データが示す時刻を５秒だけ進める修正を行う。したがって、計時装置Ｃ１０は、時刻情報を受信すると、計時データが示す時刻を、２時５５分００秒から２時５５分０５秒に修正する。つまり、計時装置Ｃ１０は、時刻データを２秒以上修正する。
【００２８】
計時装置Ｃ１０は、送信タイミングＴＡ１０に、基準時刻情報Ｂを含む送信信号を送信する。ここで送信タイミングＴＡ１０は、計時装置Ｃ１０の修正後の計時データが示す時刻にして３時００分０５秒である。
【００２９】
一方、計時装置Ｃ１０を基準送信装置とする計時装置Ｃ２０は、受信タイミングＲＢ２０の２秒前から、スキャンウィンドウＷ２０において基準時刻信号のスキャンを開始する。ここで受信タイミングＲＢ２０は、計時装置Ｃ２０の修正前の計時データが示す時刻にして３時００分０５秒である。計時装置Ｃ２０の修正前の計時データが示す時刻にして３時００分０５秒は、計時装置Ｃ１０の修正後の計時データが示す時刻にして３時００分１０秒である。
【００３０】
したがって、計時装置Ｃ１０は、計時装置Ｃ１０の修正後の計時データが示す時刻にして３時００分０５秒に送信信号を送信したのであるから、計時装置Ｃ１０の修正後の計時データが示す時刻にして３時００分１０秒の２秒前である３時００分０８秒からスキャンを開始した計時装置Ｃ２０は、計時装置Ｃ１０から基準時刻信号を受信することができない。
【００３１】
つまり、計時システムＳ０では、計時装置Ｃ１０が、時刻データを２秒以上修正した場合、計時装置Ｃ１０を基準送信装置とする計時装置Ｃ２０は、計時装置Ｃ１０から基準時刻信号を受信することができない。
一方、図２の計時システムＳでは、上述したように、計時装置Ｃ１は、時刻データを２秒以上修正した場合、修正後送信タイミングに加えて、修正前送信タイミングにおいても基準時刻情報Ｂを含む送信信号を送信する。そのため、計時装置Ｃ１が時刻データを２秒以上修正した場合であっても、計時装置Ｃ２は、計時装置Ｃ１から基準時刻信号を受信することができる。
【００３２】
図１に戻って、計時システムＳの説明を続ける。
計時システムＳでは、送信時は近距離無線通信における一方向通信を用いている。この近距離無線通信とは、一例としてビーエルイー（Ｂｌｕｅｔｏｏｔｈ（登録商標）  Ｌｏｗ  Ｅｎｅｒｇｙ：ＢＬＥ）である。送信データにはネットワークの階層を示すレイヤ情報が含まれる。計時装置Ｃ２〜Ｃ６は、初期受信時に受信したレイヤの値に１を加えて自装置のレイヤとする。計時装置Ｃ２〜Ｃ６は、以降、自装置のレイヤの値より１小さいレイヤの値を有する送信データのみを取得し、ツリー型のネットワークが構築される。
【００３３】
計時システムＳでは、一方向通信を用いることにより近距離通信におけるペアリングや、一般的なネットワークにおけるＩＰアドレス設定などの手間を省き、それらに比べて容易に親子時計システムを実現できる。
【００３４】
親機である計時装置Ｃ１は、長波受信によりＪＪＹ（登録商標）等の標準電波を受信することにより、時刻情報を取得する。または、親機である計時装置Ｃ１は、近距離無線通信によりスマートフォンから時刻情報を取得する。計時装置Ｃ１がいずれの情報源から時刻情報を取得するかは、ユーザにより設定される。また、計時システムＳにおいて計時装置Ｃが親機と子機とのいずれとして機能するかもユーザにより設定される。
【００３５】
計時装置Ｃ１は、取得した時刻情報に基づいて、自装置の計時データを修正する。計時装置Ｃ１は、修正した計時データに基づき基準時刻情報Ｂを生成する。計時装置Ｃ１は、生成した基準時刻情報Ｂを含む基準時刻信号を、下位レイヤの計時装置Ｃ２及び計時装置Ｃ３に送信チャネル０により送信する。
【００３６】
ここで図３を参照し、基準時刻情報Ｂ及び通信チャネルについて説明する。
図３は、本実施形態に係る基準時刻情報Ｂ及び通信チャネルの一例を示す図である。基準時刻情報Ｂは、レイヤ情報Ｂ１、送信チャネル情報Ｂ２、時刻情報Ｂ３、及び局情報Ｂ４を含む。
【００３７】
レイヤ情報Ｂ１は、基準時刻情報Ｂを送信した計時装置Ｃが位置するレイヤを特定するための情報である。レイヤ情報Ｂ１は、例えば、０〜９９の範囲をとる。
【００３８】
送信チャネル情報Ｂ２は、基準時刻情報Ｂが送信される通信チャネルを特定する情報である。通信チャネルが、例えば、６０チャネル用意されている場合には、送信チャネル情報Ｂ２には、例えば、０〜５９の値のうち通信チャネルに対応するものが設定される。
【００３９】
時刻情報Ｂ３は、年・月・日・時・分・秒・曜日等の時刻を示す情報である。
局情報Ｂ４は、時刻情報Ｂ３がどの情報源に基づいて修正されたのかを示す情報である。局情報Ｂ４は、例えば、ＵＴＣ、ＪＪＹ（４０ｋＨｚ；東・福島送信所）、ＪＪＹ（６０ｋＨｚ，西・九州送信所）、スマートフォン、及び手動調整時の別を示す情報である。
【００４０】
図１に戻り、計時システムＳの説明を続ける。
計時システムＳでは、混信を防ぐために１０秒毎のタイムスロットＴＳを設けてレイヤ、及び送信ＣＨから基準時刻情報Ｂの送信タイミングを決定し、複数の送信装置間において送信タイミングが重なることを防いでいる。ここで送信ＣＨは、周波数ではなく時分割したタイムスロットを意味し、番号０〜５９からランダムに設定される。送信タイミングの一例は、式（１）により表される。
【００４１】
【数１】
2019158734.tif 000003
【００４２】
周波数ホッピングにより混信を防ぐＢＬＥの双方向通信と異なり、ＢＬＥの一方向通信では、送信装置であるブロードキャスターが送信データであるアドバタイズメントパケットを送信する際は３つの周波数を順次切替えて送信するため、タイミングが重なると混信する可能性が高くなる。計時システムＳでは、式（１）により送信タイミングが重なることを防いでいる。
【００４３】
レイヤの値が１の計時装置Ｃ２は、レイヤの値が０の計時装置Ｃ１から基準時刻情報Ｂを受信する。計時装置Ｃ２は、基準時刻情報Ｂに含まれる時刻情報Ｂ３に基づいて自装置の計時データを修正する。計時装置Ｃ２は、修正した計時データに基づき基準時刻情報Ｂを生成する。計時装置Ｃ２は、生成した基準時刻情報Ｂを、レイヤの値が２の計時装置Ｃ４に送信する。ここで計時装置Ｃ２は、上位レイヤの計時装置Ｃ１が用いている送信チャネル０とは異なる送信チャネル３を送信に用いる。
【００４４】
以下、同様にして、各レイヤの計時装置Ｃは、レイヤの値が１だけ小さいレイヤの計時装置Ｃから基準時刻情報Ｂを受信し、受信した基準時刻情報Ｂに含まれる時刻情報Ｂ３に基づいて自装置の計時データを修正する。計時装置Ｃは、修正した計時データに基づき基準時刻情報Ｂを生成する。計時装置Ｃは、レイヤの値が１だけ小さい上位レイヤの計時装置Ｃが用いている送信チャネルとは異なる送信チャネルを用いて、生成した基準時刻情報Ｂを、レイヤの値が１だけ大きい下位レイヤの計時装置Ｃに送信する。
【００４５】
なお、計時システムＳには、計時装置Ｃ以外に、基準時刻情報Ｂを送信する機能を有しない計時装置も必要に応じて配置されてよい。
【００４６】
次に、図４を参照し、計時装置Ｃの構成について説明する。
図４は、本実施形態に係る計時装置Ｃの構成の一例を示す図である。計時装置Ｃは、長波受信回路１と、電源回路２と、コネクタ３と、主装置４と、表示装置５とを備える。
【００４７】
長波受信回路１は、時刻情報を含む標準電波ＪＪＹまたは衛星電波（ＵＴＣ）を受信・復調し、ディジタル受信情報を、コネクタ３を介して主装置４に出力する。
電源回路２は、ＡＣ（交流）アダプタ接続プラグ２１と、バッテリ２２とを備え、ＡＣアダプタまたはバッテリ２２からの直流電力を、コネクタ３を介して主装置４に供給する。
【００４８】
表示装置５は、セグメント構成の表示パネルＰ（例えば、液晶表示パネル）を備え、時刻情報、電波送受信状況、等の情報を表示する。
【００４９】
ここで図５を参照し、表示装置５の表示パネルＰの表示について説明する。
図５は、本実施形態に係る表示装置５の表示パネルＰの表示の一例を示す図である。表示パネルＰは、午前表示セグメントＰ１、午後表示セグメントＰ２、ＴＬマークセグメントＰ３、時間表示セグメントＰ４、区切りセグメントＰ５、分表示セグメントＰ６、秒表示セグメントＰ７、親機子機モードマークセグメントＰ８、情報源マークセグメントＰ９、ＢＬＥマークセグメントＰ１０、アンテナマークセグメントＰ１１、受信レベルセグメントＰ１２、バッテリマークセグメントＰ１３、月表示セグメントＰ１４、日表示セグメントＰ１５、曜日表示セグメントＰ１６を備える。
【００５０】
午前表示セグメントＰ１、及び午後表示セグメントＰ２は、時刻が１２時間表示の場合に、午前と午後の別を表示する。
ＴＬマークセグメントＰ３は、上位レイヤの計時装置Ｃから基準時刻信号を受信できていることなどを表示するための表示セグメントである。また、このＴＬマークセグメントＰ３の表示態様の切り替えにより、受信中であること、送信中であることなどを表示する。
時間表示セグメントＰ４と、区切りセグメントＰ５と、分表示セグメントＰ６と、秒表示セグメントＰ７とは、現在時刻を「時：分秒」の形式において表示する。
【００５１】
親機子機モードマークセグメントＰ８は、計時装置Ｃが親機モードに設定されているか子機モードに設定されているかを表示する。計時装置Ｃが親機モードに設定されている場合、親機子機モードマークセグメントＰ８の「Ｐ」の文字が点灯する。一方、計時装置Ｃが子機モードに設定されている場合、親機子機モードマークセグメントＰ８の「Ｃ」の文字が点灯する。
【００５２】
情報源マークセグメントＰ９は、標準電波信号を所定時間以内に受信しているか否か、受信しているとすれば、情報源が西局、東局、及びＵＴＣのいずれであるかを表示する。例えば、計時装置Ｃが２４時間以内に、ＪＪＹ６０ｋＨｚを受信して時刻修正に使用している場合には、Ｗマークセグメントが点灯する。計時装置Ｃが２４時間以内に、ＪＪＹ４０ｋＨｚを受信して時刻修正に使用している場合には、Ｅマークセグメントが点灯する。計時装置Ｃが２４時間以内に、ＵＴＣを受信して時刻修正に使用している場合には、Ｕマークセグメントが点灯する。
【００５３】
ＢＬＥマークセグメントＰ１０は、スマートフォンからＢＬＥなどの近距離無線通信により時刻情報を受信しているか否かを表示する。
アンテナマークセグメントＰ１１と受信レベルセグメントＰ１２とは、受信電波の強度
を表示するためのセグメントである。
バッテリマークセグメントＰ１３は、バッテリ２２の電圧状態を表示するためのセグメントである。
月表示セグメントＰ１４と、日表示セグメントＰ１５と、曜日表示セグメントＰ１６と
は、月日と曜日とを表示するためのセグメントである。
【００５４】
図４に戻って、計時装置Ｃの構成の説明を続ける。
主装置４は、電圧デテクタ６と、レギュレータ７と、スイッチ群８と、ＲＦ（Ｒａｄｉｏ  Ｆｒｅｑｕｅｎｃｙ；高周波）回路９と、水晶振動子１０と、制御部１１とを備える。
【００５５】
電圧デテクタ６は、電源回路２の出力電圧を検出し、検出値を制御部１１に供給する。
レギュレータ７は、電源回路２から供給される電圧を安定化して、主装置４内に供給する。
【００５６】
スイッチ群８は、ＲＥＳＥＴスイッチ、ＲＥＣＶスイッチ、及びＭＯＤＥスイッチ、などの複数のスイッチを備える。スイッチ群８は、ユーザの操作によるスイッチのオン／オフ、オン時間の長さなどに応じて、様々な情報や指示を制御部１１に供給する。
【００５７】
ＲＥＳＥＴスイッチが操作されると、制御部１１は初期状態となる。
ＲＥＣＶスイッチが操作されると、所定時間、基準時刻信号を受信する手動受信処理が実行される。
ＭＯＤＥスイッチが操作されると、長波を受信する長波受信親機モードと、スマートフォンからＢＬＥによる受信により時刻情報を取得するＢＬＥ親機モードと、子機モードとの３つのモードが切り替わる。なお、親機モードと子機モードとの２つのモードを切り替えて、親機モードにおいて長波受信とＢＬＥ受信とのいずれを用いて時刻情報を取得するかは、自動で選択されてもよい。
【００５８】
ＲＦ回路９は、制御部１１の制御下に、上位レイヤの計時装置Ｃが送信する基準時刻情報Ｂを含む受信信号である基準時刻信号を受信する。ＲＦ回路９は、受信した基準時刻信号を復調して制御部１１に出力する。また、ＲＦ回路９は、受信チャネルとは異なる送信チャネルを使用して基準時刻情報Ｂを下位レイヤの計時装置Ｃに送信する。
水晶振動子１０は、所定の発振周波数で発振し、発振信号を制御部１１に供給する。
【００５９】
制御部１１は、計時装置Ｃの動作全体を制御する。制御部１１は、水晶振動子１０の発振信号に基づく計時動作、基準送信装置から受信した基準時刻信号に基づく時刻データの修正動作、修正した時刻データに基づく基準時刻情報のＲＦ回路９を介した送信、表示装置５への種々の情報の表示制御、スイッチ群８の操作入力に応答する処理などを行う。
【００６０】
ここで図６を参照し、制御部１１の構成について説明する。
図６は、本実施形態に係る制御部１１の構成の一例を示す図である。制御部１１は、プロセッサ２０と、計時データ取得部３０と、エンコーダ４０と、デコーダ５０と、キー入力部６０と、電圧データ入力部７０と、レジスタ群８０とを備える。
【００６１】
プロセッサ２０は、修正部２０１と、計時部２０２と、親機子機モード制御部２０３と、通信制御部２０４と、表示制御部２０５とを備える。プロセッサ２０は、修正部２０１と、計時部２０２と、親機子機モード制御部２０３と、通信制御部２０４と、表示制御部２０５とにそれぞれ処理を行わせる。
プロセッサ２０は、ＣＰＵ、ＲＡＭ、及びＲＯＭなどにより実現される。
【００６２】
修正部２０１は、ＲＦ回路９が受信した受信信号である基準時刻信号に含まれる基準時刻情報Ｂに基づいて、計時データを修正する。
計時部２０２は、修正部２０１が修正した計時データに基づき計時を行う。
【００６３】
通信制御部２０４は、ＲＦ回路９による受信信号の受信、及びＲＦ回路９による基準時刻信号の送信を制御する。
表示制御部２０５は、表示装置５への種々の情報の表示制御を行う。
【００６４】
計時データ取得部３０は、水晶振動子１０からの発振信号をカウントして、一定時間毎に計時データを取得し、プロセッサ２０に計時割込信号を出力する。ここで一定時間とは、例えば、１００ｍｓである。
【００６５】
エンコーダ４０は、プロセッサ２０から供給された送信対象のデータ、例えば、基準時刻情報Ｂをエンコードしてベースバンド信号を生成し、ＲＦ回路９に供給する。
デコーダ５０は、長波受信回路１及びＲＦ回路９が受信した受信信号をデコードして、例えば、標準時刻情報や基準時刻情報Ｂのベースバンド信号を復調し、プロセッサ２０に供給する。
【００６６】
キー入力部６０は、スイッチ群８の操作に従って入力されるオン・オフ信号をデコードして、プロセッサ２０に供給する。
電圧データ入力部７０は、電圧デテクタ６が検出した電圧値をプロセッサ２０に出力する。
【００６７】
レジスタ群８０は、親機子機モードレジスタ８０１と、計時データレジスタ８０２と、受信チャネルレジスタ８０３と、送信チャネルレジスタ８０４と、レイヤレジスタ８０５と、連続受信失敗回数レジスタ８０６とを備える。
【００６８】
親機子機モードレジスタ８０１は、親機子機モード設定情報を記憶する。親機子機モード設定情報は、計時装置Ｃが長波受信親機モードと、ＢＬＥ親機モードと、子機モードとのいずれに設定されているかを示す。
計時データレジスタ８０２は、計時装置Ｃが計時している現在時刻を示す情報を計時データとして記憶する。ここで現在時刻を示す情報とは、月・日・時・分・秒・曜日を示す情報である。
【００６９】
また、計時データレジスタ８０２は、計時データが修正された時間幅を示す修正時間幅情報を記憶する。計時データが修正された時間幅とは、計時データレジスタ８０２に記憶される計時データが示す時刻と、基準時刻情報Ｂが示す時刻との差である。
【００７０】
例えば、計時データレジスタ８０２に記憶される計時データが示す時刻が２時５５分００秒であり、基準時刻情報Ｂが示す時刻が２時５５分０５秒である場合、計時データが修正された時間幅は５秒となる。一方、計時データレジスタ８０２に記憶される計時データが示す時刻が２時５５分０５秒であり、基準時刻情報Ｂが示す時刻が２時５５分００秒である場合、計時データが修正された時間幅はマイナス５秒となる。
【００７１】
受信チャネルレジスタ８０３は、上位レイヤの計時装置Ｃから基準時刻情報を受信する通信チャネルを指定する受信チャネル指定データ（例えば、前述の０〜５９のいずれかの値）及び受信したデータ等を記憶する。なお、上位レイヤの計時装置Ｃが存在しないレイヤの値が０の計時装置Ｃ１の場合には、標準時刻などの時刻の種類や、時刻情報を取得した、情報源を示す情報を記憶する。ここで時刻情報を取得した、情報源を示す情報とは、標準電波の種類（ＵＴＣ、ＪＪＹ東送信局、ＪＪＹ西送信局等）やスマートフォンを示す情報である。
【００７２】
送信チャネルレジスタ８０４は、下位レイヤの計時装置Ｃに基準時刻情報Ｂを送信する送信チャネルを指定する送信チャネル指定データ（例えば、前述の０〜５９のいずれかの値）を記憶する。送信チャネルレジスタ８０４に記憶されているチャネル指定データは、基準時刻情報Ｂ内の送信チャネル情報Ｂ２として送信される。
【００７３】
レイヤレジスタ８０５は、計時装置Ｃが、複数のレイヤのどのレイヤに位置するかを示すレイヤデータ（例えば、前述のレイヤ情報Ｂ１がとる範囲である０〜９９のいずれかの値）を記憶する。
【００７４】
連続受信失敗回数レジスタ８０６は、上位レイヤの計時装置Ｃからの基準時刻情報Ｂを連続して受信できなかった回数である連続受信失敗回数を記憶する。なお、上位レイヤの計時装置Ｃが存在しないレイヤの値が０の計時装置Ｃ１の場合には、標準電波信号を連続して受信できなかった回数を記憶する。
【００７５】
（配置）
ユーザは、計時システムＳを構成する複数の計時装置Ｃを、ＲＦ回路９による通信が可能な距離範囲において配置し、電源を投入する。
【００７６】
（初期動作）
計時装置Ｃは、電源が投入されると他の初期化動作と共に時刻情報を受信するための前処理を開始する。この前処理は、スイッチ群８のＲＥＳＥＴスイッチが操作され制御部１１が初期状態となった場合にも開始される。
【００７７】
図７は、本実施形態に係る時刻情報受信のための前処理の一例を示す図である。
ステップＳ１００：親機子機モード制御部２０３は、計時装置Ｃが親機モードに設定されているか否かを判定する。ここで親機モードは、長波受信親機モードと、ＢＬＥ親機モードとのいずれかである。
【００７８】
親機子機モード制御部２０３は、親機子機モードレジスタ８０１から、親機子機モード設定情報を取得する。親機子機モード制御部２０３が、取得した親機子機モード設定情報が、長波受信親機モードと、ＢＬＥ親機モードとのいずれかを示すと判定する場合（ステップＳ１００；ＹＥＳ）、プロセッサ２０はステップＳ１０１の処理を実行する。
【００７９】
一方、親機子機モード制御部２０３が、取得した親機子機モード設定情報が、長波受信親機モードと、ＢＬＥ親機モードとのいずれも示さないと判定する場合（ステップＳ１００；ＮＯ）、プロセッサ２０はステップＳ１０４の子機モード近距離受信処理を実行する。子機モード近距離受信処理については、図１０を参照し後述する。
【００８０】
ステップＳ１００において、親機子機モード制御部２０３は、表示制御部２０５に親機子機モード設定情報を供給する。表示制御部２０５は、親機子機モード制御部２０３が供給する親機子機モード設定情報に応じて、表示装置５に親機子機モードマークセグメントＰ８を用いて、計時装置Ｃが親機モードに設定されているか、子機モードに設定されているかを表示させる。
【００８１】
ステップＳ１０１：親機子機モード制御部２０３は、計時装置Ｃが長波受信親機モードに設定されているか否かを判定する。親機子機モード制御部２０３が、親機子機モード設定情報が、長波受信親機モードを示すと判定する場合（ステップＳ１０１；ＹＥＳ）、プロセッサ２０はステップＳ１０２の長波受信処理を実行する。長波受信処理については、図７を参照し後述する。
一方、親機子機モード制御部２０３が、親機子機モード設定情報が、長波受信親機モードを示さないと判定する場合（ステップＳ１０１；ＮＯ）、プロセッサ２０はステップＳ１０３の親機モード近距離通信処理を実行する。親機モード近距離通信処理については、図９を参照し後述する。
【００８２】
図８は、本実施形態に係る親機モードにおける長波受信処理の一例を示す図である。図７に示す処理は、図７に示したステップＳ１０２の長波受信処理である。
ステップＳ２００：通信制御部２０４は、長波受信回路１を制御して、ＪＪＹの九州送信所から６０ｋＨｚにおいて放送されている標準電波を受信させる。ここで所定時間とは、例えば３０秒間である。通信制御部２０４は、長波受信回路１が受信した受信信号を、デコーダ５０にデコードさせ、標準時刻情報を取得する。
【００８３】
ステップＳ２０１：通信制御部２０４は、長波受信回路１を制御して、ＪＪＹの福島送信所から４０ｋＨｚにおいて放送されている標準電波を受信させる。ここで所定時間とは、例えば３０秒間である。通信制御部２０４は、長波受信回路１が受信した受信信号を、デコーダ５０にデコードさせ、標準時刻情報を取得する。
【００８４】
ステップＳ２０２：通信制御部２０４は、長波受信回路１が６０ｋＨｚと４０ｋＨの両方の標準電波を受信でき、復号信号を得ることができたと判定する場合（ステップＳ２０２；ＹＥＳ）、ステップＳ２０８の処理を実行する。一方、通信制御部２０４は、長波受信回路１が６０ｋＨｚと４０ｋＨの両方の標準電波を受信でなかったと判定する場合（ステップＳ２０２；ＮＯ）、ステップＳ２０３の処理を実行する。
【００８５】
ステップＳ２０３：通信制御部２０４は、長波受信回路１が６０ｋＨｚの標準電波を受信できたと判定する場合には（ステップＳ２０３；ＹＥＳ）、ステップＳ２０９の処理を実行する。一方、通信制御部２０４は、長波受信回路１が６０ｋＨｚの標準電波を受信できなかったと判定する場合には（ステップＳ２０３；ＮＯ）、ステップＳ２０４の処理を実行する。
【００８６】
ステップＳ２０４：また、通信制御部２０４は、長波受信回路１が４０ｋＨｚの標準電波を受信できたと判定する場合には（ステップＳ２０４；ＹＥＳ）、ステップＳ２１０の処理を実行する。一方、通信制御部２０４は、長波受信回路１が４０ｋＨｚの標準電波を受信できなかったと判定する場合には（ステップＳ２０４；ＮＯ）、ステップＳ２０５の処理を実行する。
【００８７】
ステップＳ２０５：通信制御部２０４は、長波受信回路１が標準電波を受信できなかった場合、長波受信回路１にＧＰＳ衛星等からのＵＴＣを受信させる。
ステップＳ２０６：通信制御部２０４は、長波受信回路１がＵＴＣを受信できたか否かを判定する。通信制御部２０４が、長波受信回路１がＵＴＣを受信できたと判定する場合（ステップＳ２０６；ＹＥＳ）、プロセッサ２０はステップＳ２１１の処理を実行する。
一方、通信制御部２０４が、長波受信回路１がＵＴＣを受信できなかったと判定する場合（ステップＳ２０６；ＮＯ）、プロセッサ２０はステップＳ２０７の処理を実行する。
【００８８】
ステップＳ２０７：通信制御部２０４は、長波受信失敗処理を実行する。通信制御部２０４は、表示制御部２０５に長波受信に失敗したことを示す信号を供給する。
表示制御部２０５は、通信制御部２０４が供給する信号に基づいて、表示装置５にアンテナマークセグメントＰ１１と受信レベルセグメントＰ１２とを用いて、長波受信に失敗したことを表示させる。ここで表示装置５は、例えば、アンテナマークセグメントＰ１１を点滅させ、受信レベルセグメントＰ１２を消灯させる。
【００８９】
ステップＳ２０８：通信制御部２０４は、より安定して受信が可能な一方の送信所を選択する。その後、通信制御部２０４は、ステップＳ２１１の処理を実行する。
【００９０】
ステップＳ２０９：通信制御部２０４は、西送信所（九州）を選択する。その後、通信制御部２０４は、ステップＳ２１１の処理を実行する。
【００９１】
ステップＳ２１０：通信制御部２０４は、東送信所（福島）を選択する。その後、通信制御部２０４は、ステップＳ２１１の処理を実行する。
【００９２】
ステップＳ２１１：プロセッサ２０は、長波受信初期設定処理を実行する。
計時部２０２は、計時データレジスタ８０２に受信した標準電波に基づく計時データをセットする。
通信制御部２０４は、受信チャネルレジスタ８０３に時刻種類に標準電波であることと東西送信所の別を示す情報を設定する。また、通信制御部２０４は、レイヤレジスタ８０５にレイヤの値として０を設定する。通信制御部２０４は、連続受信失敗回数レジスタ８０６に記憶される連続受信失敗回数をリセットする。
【００９３】
また、表示制御部２０５は、表示装置５に、計時データレジスタ８０２に記憶されている計時データ、受信状態、バッテリ状態を示す情報を表示させる。ここ表示装置５の表示パネルＰの表示内容には、例えば、午前表示セグメントＰ１、及び午後表示セグメントＰ２による午前・午後の表示、時間表示セグメントＰ４、区切りセグメントＰ５、分表示セグメントＰ６、秒表示セグメントＰ７、月表示セグメントＰ１４、日表示セグメントＰ１５、及び曜日表示セグメントＰ１６による年月日時分秒曜日の表示、情報源マークセグメントＰ９による標準電波の情報源の表示、受信レベルセグメントＰ１２による標準電波の受信状況の表示、及び電圧データ入力部７０を介して取り込んだ電圧デテクタ６の検出値に基づいた電源状態の表示、などを含む。
【００９４】
図９は、本実施形態に係る親機モードにおける近距離通信処理の一例を示す図である。図９に示す処理は、図７に示したステップＳ１０３の親機モード近距離通信処理である。
【００９５】
ステップＳ３００：通信制御部２０４は、ＲＦ回路９を起動する。
ステップＳ３０１：通信制御部２０４は、ＲＦ回路９に、スマートフォンと接続するためのアドバタイズ信号を間欠的に所定時間送信させる。ここで所定時間とは、例えば、３０秒間である。
【００９６】
ステップＳ３０２：通信制御部２０４は、ＲＦ回路９がスマートフォンと接続し近距離時刻信号を受信したか否かを判定する。通信制御部２０４が、ＲＦ回路９が近距離時刻信号を受信したと判定する場合（ステップＳ３０２；ＹＥＳ）、プロセッサ２０はステップＳ３０７の処理を実行する。一方、通信制御部２０４が、ＲＦ回路９が近距離時刻信号を受信していないと判定する場合（ステップＳ３０２；ＮＯ）、プロセッサ２０はステップＳ３０３の処理を実行する。
【００９７】
ステップＳ３０３：通信制御部２０４は、連続受信失敗回数レジスタ８０６に記憶される連続受信失敗回数を１だけ増やす。
【００９８】
ステップＳ３０４：通信制御部２０４は、連続受信失敗回数レジスタ８０６に記憶される連続受信失敗回数が所定の回数以上であるか否か判定する。ここで所定の回数とは、例えば、１７回である。
通信制御部２０４が連続受信失敗回数レジスタ８０６に記憶される連続受信失敗回数が所定の回数以上であると判定する場合、ステップＳ３０５の近距離通信失敗処理を実行する。一方、通信制御部２０４が連続受信失敗回数レジスタ８０６に記憶される連続受信失敗回数が所定の回数以上でないと判定する場合、ステップＳ３０６の処理を実行する。
【００９９】
ステップＳ３０５：通信制御部２０４は、近距離通信失敗処理を実行する。通信制御部２０４は、表示制御部２０５に近距離通信に失敗したことを示す信号を供給する。
表示制御部２０５は、通信制御部２０４が供給する信号に基づいて、表示装置５にＢＬＥマークセグメントＰ１０と、アンテナマークセグメントＰ１１と受信レベルセグメントＰ１２とを用いて、近距離通信に失敗したことを表示させる。ここで表示装置５は、例えば、ＢＬＥマークセグメントＰ１０を点灯させ、アンテナマークセグメントＰ１１を点滅させ、受信レベルセグメントＰ１２を消灯させる。
【０１００】
ステップＳ３０６：通信制御部２０４は、ＲＦ回路９が近距離時刻信号を受信する動作を最後に行ってから所定の時間が経過したか否かを判定する。ここで所定の時間とは、例えば、１０分間である。
通信制御部２０４は、ＲＦ回路９が近距離時刻信号を受信する動作を最後に行ってから所定の時間が経過したと判定する場合（ステップＳ３０６；ＹＥＳ）、通信制御部２０４は、ステップＳ３０１の処理を繰り返す。一方、通信制御部２０４は、ＲＦ回路９が近距離時刻信号を受信する動作を最後に行ってから所定の時間が経過していないと判定する場合（ステップＳ３０６；ＮＯ）、通信制御部２０４は、ステップＳ３０６の処理を繰り返す。
【０１０１】
ステップＳ３０７：プロセッサ２０は、近距離通信初期設定処理を実行する。
計時部２０２は、計時データレジスタ８０２に受信した近距離時刻信号に基づく計時データをセットする。
通信制御部２０４は、受信チャネルレジスタ８０３に時刻種類にスマートフォンなどから受信した時刻であることを示す情報を設定する。また、通信制御部２０４は、レイヤレジスタ８０５にレイヤの値として０を設定する。通信制御部２０４は、連続受信失敗回数レジスタ８０６に記憶される連続受信失敗回数をリセットする。
【０１０２】
また、表示制御部２０５は、表示装置５に、計時データレジスタ８０２に記憶されている計時データ、受信状態、バッテリ状態を示す情報を表示させる。ここ表示装置５の表示パネルＰの表示内容には、例えば、午前表示セグメントＰ１、及び午後表示セグメントＰ２による午前・午後の表示、時間表示セグメントＰ４、区切りセグメントＰ５、分表示セグメントＰ６、秒表示セグメントＰ７、月表示セグメントＰ１４、日表示セグメントＰ１５、及び曜日表示セグメントＰ１６による年月日時分秒曜日の表示、ＢＬＥマークセグメントＰ１０によるスマートフォンから時刻情報を取得したことの表示、受信レベルセグメントＰ１２による近距離通信電波の受信状況の表示、及び電圧データ入力部７０を介して取り込んだ電圧デテクタ６の検出値に基づいた電源状態の表示、などを含む。
【０１０３】
なお、親機モードと子機モードとの２つのモードを切り替えて、親機モードにおいて長波受信とＢＬＥ受信とのいずれを用いて時刻情報を取得するかが自動で選択される場合、例えば、図７のステップＳ１０２の長波受信処理が失敗した場合に、ステップＳ１０３の親機モード近距離通信処理が実行されてよい。別の例では、図７のステップＳ１０３の親機モード近距離通信処理が失敗した場合に、ステップＳ１０２の長波受信処理が実行されてもよい。
【０１０４】
図１０は、本実施形態に係る子機モードにおける近距離受信処理の一例を示す図である。図１０に示す処理は、図７に示したステップＳ１０４の子機モード近距離受信処理である。
【０１０５】
ステップＳ４００：通信制御部２０４は、ＲＦ回路９を起動する。
ステップＳ４０１：通信制御部２０４は、ＲＦ回路９が近距離時刻信号を受信したか否かを判定する。通信制御部２０４が、ＲＦ回路９が近距離時刻信号を受信したと判定する場合（ステップＳ４０１；ＹＥＳ）、デコーダ５０から基準時刻情報Ｂを取得する。その後、プロセッサ２０はステップＳ４０２の処理を実行する。
一方、通信制御部２０４が、ＲＦ回路９が近距離時刻信号を受信していないと判定する場合（ステップＳ４０１；ＮＯ）、プロセッサ２０はステップＳ４０３の処理を実行する。
【０１０６】
ステップＳ４０２：修正部２０１は、計時データを修正する。修正部２０１は、通信制御部２０４から基準時刻情報Ｂを取得する。修正部２０１は、取得した基準時刻情報Ｂに含まれる時刻情報に基づいて、計時データレジスタ８０２に記憶されている計時データを修正する。
【０１０７】
ステップＳ４０３：通信制御部２０４は、ＲＦ回路９を起動させてから所定時間が経過したか否かを判定する。ここで所定時間とは、例えば、２４時間である。ただし、所定時間は、計時システムＳのレイヤの数により変更されてよい。
通信制御部２０４は、ＲＦ回路９を起動させてから所定時間が経過したと判定する場合（ステップＳ４０３；ＹＥＳ）、ステップＳ４０４の処理を実行する。一方、通信制御部２０４は、ＲＦ回路９を起動させてから所定時間が経過していないと判定する場合（ステップＳ４０３；ＮＯ）、ステップＳ４０１の処理を繰り返す。
【０１０８】
ステップＳ４０４：通信制御部２０４は、タイムアウト処理を実行する。通信制御部２０４は、表示制御部２０５に受信信号の受信に失敗したことを示す信号を供給する。
表示制御部２０５は、通信制御部２０４が供給する信号に基づいて、アンテナマークセグメントＰ１１と受信レベルセグメントＰ１２とを用いて、受信信号の受信に失敗したことを表示装置５に表示させる。ここで表示装置５は、例えば、アンテナマークセグメントＰ１１を点滅させ、受信レベルセグメントＰ１２を消灯させる。ユーザは、計時装置Ｃが受信信号の受信に失敗したことに応じて、計時装置Ｃの位置を変えて設置し直してもよい。
その後、通信制御部２０４は、ステップＳ４０１の処理を繰り返す。
【０１０９】
（通常時の動作）
通常の動作時において、制御部１１の計時データ取得部３０は、水晶振動子１０の発振信号を用いて一定時間（例えば、５０ｍｓ）を計時する毎に、計時時刻を更新するための計時割込信号をプロセッサ２０に供給する。この計時信号に応答して、プロセッサ２０は、図１１に示す処理を開始する。
図１１は、本実施形態に係る通常時の計時処理の一例を示す図である。
【０１１０】
ステップＳ５００：計時部２０２は、計時データレジスタ８０２に記憶されている計時データを更新する。
ステップＳ５０１：計時部２０２は、表示制御部２０５に表示装置５の表示情報の更新などの処理を実行させる。
【０１１１】
また、計時部２０２は、所定時間（例えば、５００ｍｓ）の経過を計時する毎に、プロセッサ２０に、基準時刻信号を受信するための計時割込信号を送る。
この計時割込信号に応答して、プロセッサ２０は、図１２に示す処理を開始する。
【０１１２】
図１２は、本実施形態に係る子機の通常時の時刻修正のための処理の一例を示す図である。
【０１１３】
ステップＳ６００：通信制御部２０４は、現在時刻が基準時刻信号の受信タイミングであるか否かを判定する。
ここで、通信制御部２０４は、レイヤレジスタ８０５に記憶される自装置のレイヤの値と、受信チャネルレジスタ８０３に記憶される受信チャネルとに基づいて、上述した式（１）から受信タイミングを算出する。受信タイミングとは、基準送信装置の送信タイミングである。
【０１１４】
通信制御部２０４は、計時データレジスタ８０２に記憶される計時データを取得する。通信制御部２０４は、算出した受信タイミングと、取得した計時データが示す現在時刻とを比較し、現在時刻が受信タイミングの所定の時間だけ前であるか否かを判定する。ここで所定の時間とは、例えば、２秒である。
【０１１５】
通信制御部２０４は、現在時刻が基準時刻信号の受信タイミングであると判定する場合（ステップＳ６００；ＹＥＳ）、ステップＳ６０１の処理を実行する。一方、通信制御部２０４は、現在時刻が基準時刻信号の受信タイミングでないと判定する場合（ステップＳ６００；ＮＯ）、ステップＳ６０３の処理を実行する。
【０１１６】
ステップＳ６０１：通信制御部２０４は、ＲＦ回路９に基準時刻信号を受信させる。ここで通信制御部２０４は、スキャンウィンドウＷの長さを上限として、ＲＦ回路９に基準時刻信号を受信させる。スキャンウィンドウＷの長さは、例えば４秒間である。
通信制御部２０４は、デコーダ５０から基準時刻情報Ｂを取得する。
【０１１７】
ステップＳ６０２：修正部２０１は、通信制御部２０４が供給する基準時刻情報Ｂに基づいて、計時データレジスタ８０２に記憶される計時データを更新する。
修正部２０１は、計時データを修正した時間幅を、計時データレジスタ８０２に修正時間幅情報として記憶させる。
【０１１８】
ステップＳ６０３：通信制御部２０４は、現在時刻が修正後送信タイミングＴＡであるか否かを判定する。ここで、修正後送信タイミングＴＡとは、ステップＳ６０３において修正部２０１により修正された計時データに基づく基準時刻信号の送信タイミングである。
【０１１９】
ここで、通信制御部２０４は、レイヤレジスタ８０５に記憶される自装置のレイヤの値と、送信チャネルレジスタ８０４に記憶される送信チャネルとに基づいて、上述した式（１）から修正後送信タイミングＴＡを算出する。
通信制御部２０４は、計時データレジスタ８０２に記憶される計時データを取得する。通信制御部２０４は、算出した修正後送信タイミングＴＡと、取得した計時データが示す現在時刻とを比較し、現在時刻が修正後送信タイミングＴＡであるか否かを判定する。
【０１２０】
通信制御部２０４は、現在時刻が修正後送信タイミングＴＡであると判定する場合（ステップＳ６０３；ＹＥＳ）、ステップＳ６０４の処理を実行する。一方、通信制御部２０４が、現在時刻が修正後送信タイミングＴＡでないと判定する場合（ステップＳ６０３；ＮＯ）、ステップＳ６０６の処理を実行する。
【０１２１】
ステップＳ６０４：計時部２０２は、基準時刻情報Ｂを生成する。計時部２０２は、レイヤレジスタ８０５に記憶されるレイヤ情報が示すレイヤの値、送信チャネルレジスタ８０４に記憶される送信チャネル指定データが示す送信チャネル、計時データレジスタ８０２に記憶される計時データが示す時刻情報、及び受信チャネルレジスタ８０３に記憶される時刻情報の情報源を示す情報などに基づいて、基準時刻情報Ｂを生成する。
計時部２０２は、生成した基準時刻情報Ｂを通信制御部２０４に供給する。
【０１２２】
ステップＳ６０５：通信制御部２０４は、ＲＦ回路９に基準時刻信号を送信させる。ここで通信制御部２０４は、計時部２０２が供給する基準時刻情報Ｂを、エンコーダ４０にエンコードさせて、ＲＦ回路９に供給する。
【０１２３】
ステップＳ６０６：修正部２０１は、計時データが所定の時間幅以上修正されたか否か判定する。ここで所定の時間幅とは、例えば２秒間である。
所定の時間幅は、例えば、スキャンウィンドウＷの長さに基づいて決められる。スキャンウィンドウＷとは、所定の受信時期である修正前送信タイミングＴＢの時間幅である。つまり、所定の時間幅は、所定の受信時期の時間幅に応じて決められる。
【０１２４】
修正部２０１は、計時データレジスタ８０２に記憶される修正時間幅情報が示す時間幅の絶対値と、所定の時間とを比較することにより、計時データが所定の時間幅以上修正されたか否か判定する。修正部２０１は、計時データレジスタ８０２に記憶される修正時間幅情報が示す時間幅の絶対値が、所定の時間以上ある場合、計時データが所定の時間幅以上修正されたと判定する。
一方、修正部２０１は、計時データレジスタ８０２に記憶される修正時間幅情報が示す時間幅の絶対値が、所定の時間未満ある場合、計時データが所定の時間幅以上修正されていないと判定する。
【０１２５】
修正部２０１が、計時データが所定の時間幅以上修正されたと判定する場合（ステップＳ６０６；ＹＥＳ）、プロセッサ２０は、ステップＳ６０７の処理を実行する。一方、修正部２０１が、計時データが所定の時間幅以上修正されていないと判定する場合（ステップＳ６０６；ＮＯ）、プロセッサ２０は処理を終了する。
【０１２６】
ステップＳ６０７：通信制御部２０４は、現在時刻が修正前送信タイミングＴＢであるか否かを判定する。ここで、修正前送信タイミングＴＢとは、ステップＳ６０３において修正部２０１により修正される前の計時データに基づく基準時刻信号の送信タイミングである。
【０１２７】
通信制御部２０４は、修正後送信タイミングＴＡから、計時データレジスタ８０２に記憶される修正時間幅情報が示す時間幅だけ後の時刻を、修正前送信タイミングＴＢとする。
通信制御部２０４は、計時データレジスタ８０２に記憶される計時データを取得する。通信制御部２０４は、算出した修正前送信タイミングＴＢと、取得した計時データが示す現在時刻とを比較し、現在時刻が修正前送信タイミングＴＢであるか否かを判定する。
【０１２８】
通信制御部２０４は、現在時刻が修正前送信タイミングＴＢであると判定する場合（ステップＳ６０７；ＹＥＳ）、ステップＳ６０８の処理を実行する。一方、通信制御部２０４が、現在時刻が修正前送信タイミングＴＢでないと判定する場合（ステップＳ６０７；ＮＯ）、プロセッサ２０は処理を終了する。
【０１２９】
ステップＳ６０８：通信制御部２０４は、修正前送信タイミングＴＢにおいて最初に送信してから所定の時間が経過したか否かを判定する。ここで所定の時間とは、例えば、２４時間である。上述した式（１）の送信タイミングによれば、計時装置Ｃは３時間毎に基準時刻信号を送信するため、２４時間とは、８回目の送信タイミングが到来する時間である。
【０１３０】
通信制御部２０４が、修正前送信タイミングＴＢにおいて最初に送信してから所定の時間が経過したと判定する場合（ステップＳ６０８；ＹＥＳ）、プロセッサ２０は、ステップＳ６０９の処理を実行する。一方、通信制御部２０４は、修正前送信タイミングＴＢにおいて最初に送信してから所定の時間が経過していないと判定する場合（ステップＳ６０８；ＮＯ）、ステップＳ６０４の処理を実行する。
【０１３１】
したがって、修正部２０１により計時データが所定の時間幅以上修正された場合、通信制御部２０４は、ＲＦ回路９を介して、修正部２０１が修正する前の計時データに基づく修正前送信タイミングＴＢにおいて基準時刻情報Ｂを含む送信信号を、所定の受信時期である修正前送信タイミングＴＢにおいてこの送信信号を受信する他の計時装置Ｃに送信する。
【０１３２】
また、ステップＳ６０３〜ステップＳ６０５において説明したように、通信制御部２０４は、ＲＦ回路９を介して、修正前送信タイミングＴＢに加えて、修正部２０１が修正した計時データに基づく修正後送信タイミングＴＡにおいて基準時刻情報Ｂをさらに送信する。
【０１３３】
ステップＳ６０９；修正部２０１は、計時データレジスタ８０２に記憶される修正時間幅情報をリセットする。その後、プロセッサ２０は処理を終了する。
したがって、通信制御部２０４は、所定の時間が経過した場合、基準時刻情報Ｂを修正前送信タイミングＴＢにおいて送信することを中止する。
【０１３４】
以上に説明したように、本実施形態に係る計時装置Ｃは、受信部（通信制御部２０４）と、修正部２０１と、計時部２０２と、送信部（通信制御部２０４）とを備える。
受信部（通信制御部２０４）は、計時データを修正するための基準時刻情報Ｂを含む受信信号を受信する。
修正部２０１は、受信部（通信制御部２０４）が受信した受信信号に含まれる基準時刻情報Ｂに基づいて、計時データを修正する。
計時部２０２は、修正部２０１が修正した計時データに基づき計時を行う。
送信部（通信制御部２０４）は、修正部２０１により計時データが所定の時間幅以上修正された場合、修正部２０１が修正する前の計時データに基づく修正前送信タイミングＴＢにおいて基準時刻情報Ｂを含む送信信号を、所定の受信時期である修正前送信タイミングＴＢにおいて当該送信信号を受信する他の計時装置Ｃに送信する。
【０１３５】
この構成により、本実施形態に係る計時装置Ｃでは、時刻情報が所定の時間幅以上修正された場合であっても、他の計時装置Ｃが基準時刻情報Ｂを含む送信信号を受信する修正前送信タイミングＴＢにおいて送信することができるため、時刻情報が修正された場合であっても他の計時装置Ｃが時刻情報を受信できる。
【０１３６】
また、送信部（通信制御部２０４）は、修正前送信タイミングＴＢに加えて、修正部２０１が修正した計時データに基づく修正後送信タイミングＴＡにおいて基準時刻情報Ｂをさらに送信する。
この構成により、本実施形態に係る計時装置Ｃでは、時刻情報が所定の時間幅以上修正され、かつ他の計時装置Ｃの計時データが所定の時間幅以上ずれていない場合に、修正後送信タイミングＴＡにおいて基準時刻情報Ｂを送信できるため、時刻情報が所定の時間幅以上修正され、かつ他の計時装置Ｃの計時データが所定の時間幅以上ずれていない場合に、他の計時装置が時刻情報を受信できる。
【０１３７】
また、本実施形態に係る計時装置Ｃでは、所定の時間幅は、他の計時装置Ｃが送信信号を受信する所定の受信時期の時間幅に応じて決められる。
この構成により、本実施形態に係る計時装置Ｃでは、他の計時装置Ｃが送信信号を受信する所定の受信時期の時間幅に応じて、修正前送信タイミングＴＢにおいて基準時刻情報Ｂを含む送信信号を送信するか否かが決められるため、他の計時装置Ｃが送信信号を受信する所定の受信時期の時間幅が、修正後送信タイミングＴＡにおいて基準時刻信号を受信できる程度に広い場合にも修正前送信タイミングＴＢにおいて基準時刻情報Ｂを含む送信信号を送信してしまい、複数回の送信動作を繰り返して消費電力が増大するのを防ぐことができる。
【０１３８】
また、本実施形態に係る計時装置Ｃでは、送信部（通信制御部２０４）は、所定の時間が経過した場合、基準時刻情報Ｂを修正前送信タイミングＴＢにおいて送信することを中止する。
この構成により、本実施形態に係る計時装置Ｃでは、他の計時装置Ｃが送信信号を受信する受信タイミングが修正後送信タイミングＴＡに修正された後には、修正前送信タイミングＴＢにおいて基準時刻情報Ｂを含む送信信号を送信することを中止できるため、複数回の送信動作を繰り返して消費電力が増大するのを防ぐことができる。
【０１３９】
また、本実施形態に係る計時システムＳは、計時装置Ｃを複数備える。
この構成により、本実施形態に係る計時システムＳでは、計時装置Ｃの時刻情報が所定の時間幅以上修正された場合であっても、他の計時装置Ｃが基準時刻情報Ｂを含む送信信号を受信する修正前送信タイミングＴＢにおいて送信することができるため、時刻情報が修正された場合であっても他の計時装置Ｃが時刻情報を受信できる。
【０１４０】
（第２の実施形態）
以下、図面を参照しながら本発明の第２の実施形態について詳しく説明する。
上記第１の実施形態では、計時装置は、計時データが所定の時間幅以上修正された場合、修正前送信タイミングにおいて基準時刻情報を含む送信信号を送信し、修正前送信タイミングに加えて、修正後送信タイミングにおいて基準時刻情報をさらに送信する場合について説明をした。本実施形態では、計時装置が、計時データが所定の時間幅以上修正された場合、修正前送信タイミングにおいて基準時刻情報を含む送信信号を送信し、修正後送信タイミングにおいて基準時刻情報を送信しない場合について説明をする。
本実施形態に係る計時システムを計時システムＳａといい、計時装置を計時装置Ｃａという。また、計時装置Ｃａの制御部に備えられるプロセッサをプロセッサ２０ａ、プロセッサ２０ａに備えられる通信制御部を通信制御部２０４ａという。
【０１４１】
本実施形態に係る計時装置Ｃａと、第１の実施形態に係る計時装置Ｃとを比較すると、計時装置Ｃａの制御部に備えられるプロセッサ２０ａの通信制御部２０４ａの動作と、図６に示した通信制御部２０４の動作とが異なる。ここで、他の構成要素が持つ機能は第１の実施形態と同じである。第１の実施形態と同じ機能の説明は省略し、第２の実施形態では、第１の実施形態と異なる部分を中心に説明する。
【０１４２】
図１３は、本実施形態に係る子機の通常時の時刻修正のための処理の一例を示す図である。なお、ステップＳ７００、ステップＳ７０１、ステップＳ７０２、ステップＳ７０５、及びステップＳ７０６の各処理は、図１２におけるステップＳ６００、ステップＳ６０１、ステップＳ６０２、ステップＳ６０４，ステップＳ６０５の各処理と同様であるため、説明を省略する。
【０１４３】
ステップＳ７０３：修正部２０１の処理は、図１２におけるステップＳ６０６の処理と同様であるが、ステップＳ７０３の処理を終了した後の処理が異なる。
修正部２０１が、計時データが所定の時間幅以上修正されたと判定する場合（ステップＳ７０３；ＹＥＳ）、プロセッサ２０ａは、ステップＳ７０７の処理を実行する。一方、修正部２０１が、計時データが所定の時間幅以上修正されていないと判定する場合（ステップＳ７０３；ＮＯ）、プロセッサ２０ａは、ステップＳ７０４の処理を実行する。
【０１４４】
ステップＳ７０４：、通信制御部２０４ａの処理は、図１２におけるステップＳ６０３の処理と同様であるが、ステップＳ７０４の処理を終了した後の処理が異なる。
通信制御部２０４ａは、現在時刻が修正後送信タイミングＴＡであると判定する場合（ステップＳ７０４；ＹＥＳ）、ステップＳ７０５の処理を実行する。一方、通信制御部２０４ａが、現在時刻が修正後送信タイミングＴＡでないと判定する場合（ステップＳ７０４；ＮＯ）、プロセッサ２０は、処理を終了する。
【０１４５】
ステップＳ７０７：、通信制御部２０４ａの処理は、図１２におけるステップＳ６０７の処理と同様であるが、ステップＳ７０７の処理を終了した後の処理が異なる。
通信制御部２０４ａは、現在時刻が修正前送信タイミングＴＢであると判定する場合（ステップＳ７０７；ＹＥＳ）、ステップＳ７０５の処理を実行する。一方、通信制御部２０４ａが、現在時刻が修正前送信タイミングＴＢでないと判定する場合（ステップＳ７０７；ＮＯ）、プロセッサ２０は、処理を終了する。
【０１４６】
このように、通信制御部２０４ａは、計時データが所定の時間幅以上修正されたか否かに応じて、修正後送信タイミングＴＡか、修正前送信タイミングＴＢかのいずれか一方において、基準時刻信号を送信する。
【０１４７】
なお、図１３に示す処理において、通信制御部２０４ａは、所定の時間が経過した場合、基準時刻情報Ｂを修正前送信タイミングＴＢにおいて送信することを中止してもよい。例えば、ステップＳ７０７において、通信制御部２０４ａは、現在時刻が修正前送信タイミングＴＢであると判定する場合、図１２のステップＳ６０８、及びステップＳ６０９の処理を行ってもよい。
【０１４８】
以上に説明したように、本実施形態に係る計時装置Ｃａは、修正部２０１により計時データが所定の時間幅以上修正された場合、修正部２０１が修正する前の計時データに基づく修正前送信タイミングＴＢにおいて基準時刻情報Ｂを含む送信信号を、所定の受信時期である修正前送信タイミングＴＢにおいて当該送信信号を受信する他の計時装置Ｃに送信する。一方、本実施形態に係る計時装置Ｃａは、修正部２０１により計時データが所定の時間幅以上修正された場合、修正部２０１が修正した計時データに基づく修正後送信タイミングＴＡにおいて基準時刻情報Ｂを送信しない。
この構成により、本実施形態に係る計時装置Ｃａでは、修正後送信タイミングＴＡと、修正前送信タイミングＴＢとの両方において基準時刻情報Ｂを送信し、消費電力が増大するのを防ぐことができる。
【０１４９】
（第３の実施形態）
以下、図面を参照しながら本発明の第３の実施形態について詳しく説明する。
上記第１の実施形態、及び第２の実施形態では、計時装置は、計時データが所定の時間幅以上修正された場合、修正前送信タイミングにおいて基準時刻情報を含む送信信号を送信する場合について説明をした。本実施形態では、計時装置が、計時データが所定の時間幅以上修正された場合、修正前送信タイミングにおいて、送信信号を受信するためのスキャンウィンドウを変更する指示情報を送信する場合について説明する。
本実施形態に係る計時システムを計時システムＳｂ、計時装置を計時装置Ｃｂ、また、計時装置Ｃｂの制御部を制御部１１ｂという。
【０１５０】
図１４を参照し、計時装置Ｃｂの制御部１１ｂの構成について説明する。
図１４は、本実施形態に係る制御部１１ｂの構成の一例を示す図である。制御部１１ｂは、プロセッサ２０ｂと、計時データ取得部３０と、エンコーダ４０と、デコーダ５０と、キー入力部６０と、電圧データ入力部７０と、レジスタ群８０とを備える。
【０１５１】
プロセッサ２０ｂは、修正部２０１と、計時部２０２と、親機子機モード制御部２０３と、通信制御部２０４ｂと、表示制御部２０５と、指示情報生成部２０６ｂとを備える。プロセッサ２０ｂは、修正部２０１と、計時部２０２と、親機子機モード制御部２０３と、通信制御部２０４ｂと、表示制御部２０５と、指示情報生成部２０６ｂとにそれぞれ処理を行わせる。
【０１５２】
本実施形態に係る計時装置Ｃｂと、第１の実施形態に係る計時装置Ｃとを比較すると、通信制御部２０４ｂと、指示情報生成部２０６ｂとが異なる。ここで、他の構成要素が持つ機能は第１の実施形態と同じである。第１の実施形態と同じ機能の説明は省略し、第３の実施形態では、第１の実施形態と異なる部分を中心に説明する。
【０１５３】
指示情報生成部２０６ｂは、指示情報を生成する。ここで指示情報とは、送信信号の受信時期を修正部２０１が修正した計時データに基づく修正後送信タイミングＴＡに変更することを指示する情報である。送信信号の受信時期を変更するとは、例えば、スキャンウィンドウＷの大きさを、受信タイミングを早める方向に広げること、あるいは受信タイミングを遅くする方向に広げることである。
【０１５４】
通信制御部２０４ｂは、ＲＦ回路９による受信信号の受信、及びＲＦ回路９による基準時刻信号の送信を制御する。また、通信制御部２０４ｂは、ＲＦ回路９による指示情報の送信を制御する。
【０１５５】
図１５は、本実施形態に係る時刻修正を伴うタイミングチャートの一例を示す図である。図１５に示す例では、計時装置Ｃ１ｂ、及び計時装置Ｃ２ｂの計時データが示す時刻は、スマートフォンＳＭが保持する時刻情報が示す時刻に対して、それぞれ５秒だけ遅れている。以下に説明する送信タイミングや受信タイミングは、各計時装置Ｃｂが保持する計時データが示す時刻に基づく時刻である。
【０１５６】
スマートフォンＳＭは、タイムサーバーと接続して時刻情報を取得後、時刻情報送信タイミングＴＳ１に、電波情報を送信する。ここで時刻情報送信タイミングＴＳ１は、スマートフォンＳＭの計時データが示す時刻にして２時５５分０５秒である。
【０１５７】
計時装置Ｃ１ｂは、受信タイミングＲＳ１にスマートフォンＳＭから時刻情報を受信する。ここで受信タイミングＲＳ１は、計時装置Ｃ１ｂの計時データが示す時刻にして２時５５分００秒である。
計時装置Ｃ１ｂは、時刻情報を受信すると、自装置の計時データが示す時刻を５秒だけ進める修正を行う。したがって、計時装置Ｃ１ｂは、時刻情報を受信すると、計時データが示す時刻を、２時５５分００秒から２時５５分０５秒に修正する。つまり、計時装置Ｃ１は、時刻データを２秒以上修正する。
【０１５８】
計時装置Ｃ１ｂは、修正後送信タイミングＴＡ１−１に、基準時刻情報Ｂを含む送信信号を送信する。ここで修正後送信タイミングＴＡ１−１は、計時装置Ｃ１の修正後の計時データが示す時刻にして３時００分０５秒である。
計時装置Ｃ１ｂは、時刻データを２秒以上修正した場合、修正後送信タイミングＴＡ１−１に加えて、修正前送信タイミングＴＢ１−１において指示情報を含む送信信号を送信する。ここで修正前送信タイミングＴＢ１−１は、計時装置Ｃ１の修正後の計時データが示す時刻にして３時００分１０秒である。
【０１５９】
一方、計時装置Ｃ１ｂを基準送信装置とする計時装置Ｃ２ｂは、修正前受信タイミングＲＢ２−１に、計時装置Ｃ１ｂから指示情報を含む送信信号を受信する。ここで修正前受信タイミングＲＢ２−１は、計時装置Ｃ２の修正前の計時データが示す時刻にして３時００分０５秒である。計時装置Ｃ２ｂは、消費電力を抑えるために、基準送信装置が送信信号を送信する送信タイミングの２秒前からスキャンを開始し、最大４秒間受信を継続する。計時装置Ｃ２ｂが基準送信装置からの受信を継続する期間をスキャンウィンドウＷ２−１という。図１５に示す例では、スキャンウィンドウＷ２−１の長さは、４秒間以下である。
【０１６０】
計時装置Ｃ２ｂは、計時装置Ｃ１ｂから指示情報を受信すると、スキャンウィンドウＷ２を、例えば、３秒だけ受信タイミングを早める方向に広げる。
【０１６１】
計時装置Ｃ２ｂは、修正前送信タイミングＴＢ２−１において指示情報を含む送信信号を送信する。ここで計時装置Ｃ２ｂは、計時装置Ｃ１ｂが、修正後送信タイミングＴＡ１−１において送信した基準時刻信号を受信できていないため、計時データが修正されていない修正前送信タイミングＴＢ２−１において送信信号を送信する。
【０１６２】
スマートフォンＳＭは、タイムサーバーと接続して時刻情報を取得後、時刻情報送信タイミングＴＳ２に、時刻情報を送信する。ここで時刻情報送信タイミングＴＳ２は、時刻情報送信タイミングＴＳ１の３時間後であり、スマートフォンＳＭの計時データが示す時刻にして５時５５分０５秒である。
【０１６３】
計時装置Ｃ１ｂは、受信タイミングＲＳ２にスマートフォンＳＭから時刻情報を受信する。ここで受信タイミングＲＳ２は、計時装置Ｃ１ｂの計時データが示す時刻にして５時５５分０５秒である。
計時装置Ｃ１ｂは、受信した時刻情報が示す時刻と、自装置の計時データが示す時刻とが一致するため、計時データを修正しない。
【０１６４】
計時装置Ｃ１ｂは、修正後送信タイミングＴＡ１−２に、基準時刻情報Ｂを含む送信信号を送信する。ここで修正後送信タイミングＴＡ１−２は、計時装置Ｃ１ｂの計時データが示す時刻にして６時００分０５秒である。
【０１６５】
計時装置Ｃ２ｂは、修正前受信タイミングＲＢ２−２からスキャンウィンドウＷ２−２の分だけ早い時刻に、計時装置Ｃ１ｂから基準時刻情報Ｂを含む送信信号を受信する。ここで修正前受信タイミングＲＢ２−２は、計時装置Ｃ２ｂの計時データが示す時刻にして６時００分０５秒である。スキャンウィンドウＷ２−２は、スキャンウィンドウＷ２−１に比べ、３秒だけ受信タイミングを早める方向に広げられている。したがって、計時装置Ｃ２ｂは、修正前受信タイミングＲＢ２−２よりも、計時装置Ｃ２ｂの計時データが示す時刻にして５秒だけ早い時刻である６時００分００秒に基準時刻情報Ｂを含む送信信号を受信することができる。
【０１６６】
計時装置Ｃ２ｂは、計時装置Ｃ１ｂから基準時刻信号を受信すると、計時データが示す時刻を６時００分００秒から６時００分０５秒に修正する。つまり、計時装置Ｃ２は、時刻データを２秒以上修正する。
【０１６７】
計時装置Ｃ２ｂは、修正後送信タイミングＴＡ２−２に、基準時刻情報Ｂを含む送信信号を送信する。ここで修正後送信タイミングＴＡ２−２は、計時装置Ｃ２ｂの修正後の計時データが示す時刻にして６時１０分３５秒である。
計時装置Ｃ２ｂは、時刻データを２秒以上修正した場合、修正後送信タイミングＴＡ２−２に加えて、修正前送信タイミングＴＢ２−２において指示情報を含む送信信号を送信する。ここで修正前送信タイミングＴＢ２−２は、計時装置Ｃ２ｂの修正後の計時データが示す時刻にして６時１０分４０秒である。
【０１６８】
次に図１６を参照し、指示情報を送信するための処理を説明する。
図１６は、本実施形態に係る子機の通常時の時刻修正のための処理の一例を示す図である。なお、ステップＳ８００、ステップＳ８０１、ステップＳ８０２、ステップＳ８０３、ステップＳ８０４、ステップＳ８０５、ステップＳ８０６、及びステップＳ８０７の各処理は、図１２におけるステップＳ６００、ステップＳ６０１、ステップＳ６０２、ステップＳ６０３、ステップＳ６０４，ステップＳ６０５、ステップＳ６０６、及びステップＳ６０７の各処理と同様であるため、説明を省略する。
【０１６９】
ステップＳ８０８：指示情報生成部２０６ｂは、指示情報を生成する。ここで指示情報生成部２０６ｂは、計時データレジスタ８０２に記憶される修正時間幅情報に基づいて指示情報を生成する。
【０１７０】
指示情報生成部２０６ｂは、修正時間幅情報が示す時間だけ、スキャンウィンドウＷを、受信タイミングを早める方向に広げることを示す指示情報を生成する。例えば、計時データが５秒だけ進められた場合、修正時間幅情報は、時間幅として５秒を示す。修正時間幅情報が時間幅として５秒を示す場合、指示情報は、スキャンウィンドウＷを、５秒だけ受信タイミングを早める方向に広げることを示す。
別の例では、計時データが５秒だけ遅らせられた場合、修正時間幅情報は、時間幅としてマイナス５秒を示す。修正時間幅情報が時間幅としてマイナス５秒を示す場合、指示情報は、スキャンウィンドウＷを、５秒だけ受信タイミングを遅くする方向に広げることを示す。
【０１７１】
ステップＳ８０５：通信制御部２０４ｂは、ＲＦ回路９に指示情報を含む送信信号を送信させる。ここで通信制御部２０４ｂは、指示情報生成部２０６ｂが供給する指示情報を、エンコーダ４０にエンコードさせて、ＲＦ回路９に供給する。
したがって、通信制御部２０４ｂは、修正部２０１により計時データが所定の時間幅以上修正された場合、送信信号の受信時期を修正部２０１が修正した計時データに基づく修正後送信タイミングに変更することを指示する指示情報を、修正前送信タイミングＴＢにおいて送信する。
【０１７２】
以上に説明したように、本実施形態に係る計時装置Ｃｂは、送信部（通信制御部２０４ｂ）を備える。
送信部（通信制御部２０４ｂ）は、修正部２０１により計時データが所定の時間幅以上修正された場合、送信信号の受信時期を修正部２０１が修正した計時データに基づく修正後送信タイミングに変更することを指示する指示情報を、修正前送信タイミングＴＢにおいて送信する。
【０１７３】
この構成により、本実施形態に係る計時装置Ｃｂでは、時刻情報が所定の時間幅以上修正された場合であっても、他の計時装置Ｃに送信信号の受信時期を変更するように指示することができるため、時刻情報が修正された場合であっても他の計時装置Ｃｂが時刻情報を受信できる。
【０１７４】
なお、上述した実施形態における計時装置Ｃ、計時装置Ｃａ、計時装置Ｃｂの一部、例えば、修正部２０１、計時部２０２、親機子機モード制御部２０３、通信制御部２０４、通信制御部２０４ａ、通信制御部２０４ｂ、表示制御部２０５、及び指示情報生成部２０６ｂをコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、計時装置Ｃ、計時装置Ｃａ、計時装置Ｃｂに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、上述した実施形態における計時装置Ｃ、計時装置Ｃａ、計時装置Ｃｂの一部、または全部を、ＬＳＩ（Ｌａｒｇｅ  Ｓｃａｌｅ  Ｉｎｔｅｇｒａｔｉｏｎ）等の集積回路として実現してもよい。計時装置Ｃ、計時装置Ｃａ、計時装置Ｃｂの各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１７５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１７６】
Ｓ、Ｓａ、Ｓｂ…計時システム、Ｃ、Ｃａ、Ｃｂ、Ｃ１、Ｃ１ｂ、Ｃ２、Ｃ２ｂ、Ｃ３、Ｃ４、Ｃ５、Ｃ６…計時装置、１…長波受信回路、２…電源回路、２１…ＡＣ（交流）アダプタ接続プラグ、２２…バッテリ、３…コネクタ、４…主装置、５…表示装置、６…電圧デテクタ、７…レギュレータ、８…スイッチ群、９…ＲＦ回路、１０…水晶振動子、１１、１１ａ、１１ｂ…制御部、２０、２０ａ、２０ｂ…プロセッサ、２０１…修正部、２０２…計時部、２０３…親機子機モード制御部、２０４、２０４ａ、２０４ｂ…通信制御部、２０５…表示制御部、２０６ｂ…指示情報生成部、３０…計時データ取得部、４０…エンコーダ、５０…デコーダ、６０…キー入力部、７０…電圧データ入力部、８０…レジスタ群、８０１…親機子機モードレジスタ、８０２…計時データレジスタ、８０３…受信チャネルレジスタ、８０４…送信チャネルレジスタ、８０５…レイヤレジスタ、８０６…連続受信失敗回数レジスタ、Ｐ…表示パネル
【図１】
2019158734.tif 000004
【図２】
2019158734.tif 000005
【図３】
2019158734.tif 000006
【図４】
2019158734.tif 000007
【図５】
2019158734.tif 000008
【図６】
2019158734.tif 000009
【図７】
2019158734.tif 000010
【図８】
2019158734.tif 000011
【図９】
2019158734.tif 000012
【図１０】
2019158734.tif 000013
【図１１】
2019158734.tif 000014
【図１２】
2019158734.tif 000015
【図１３】
2019158734.tif 000016
【図１４】
2019158734.tif 000017
【図１５】
2019158734.tif 000018
【図１６】
2019158734.tif 000019
【図１７】
2019158734.tif 000020